(57)【要約】【課題】様々な使用環境に対応することができるプロジェクタ一体型電子黒板を提供する。【解決手段】画像を投影するプロジェクタ４０と、前記プロジェクタ４０から投影される画像を透過して視認させる透過型スクリーンとプロジェクタ４０から投影される画像を反射して視認させる反射型スクリーンとを取替可能なスクリーン部１１と、前記スクリーン部１１の上部に旋回可能に取り付けられ、前記プロジェクタ４０が前記スクリーン部１１の前面側と背面側とを移動するように前記プロジェクタ４０を吊下支持する吊下用アーム３０と、を備える。【選択図】図１
2011136422.tif 000002
【特許請求の範囲】
【請求項１】
画像を投影するプロジェクタと、
前記プロジェクタから投影される画像を透過して視認させる透過型スクリーンとプロジェクタから投影される画像を反射して視認させる反射型スクリーンとを取替可能なスクリーン部と、
前記スクリーン部の上部に旋回可能に取り付けられ、前記プロジェクタが前記スクリーン部の前面側と背面側とを移動するように前記プロジェクタを吊下支持する吊下用アームと、を備えたことを特徴とするプロジェクタ一体型電子黒板。
【請求項２】
前記吊下用アームは、３６０度旋回可能に取り付けられた請求項１に記載のプロジェクタ一体型電子黒板。
【請求項３】
前記吊下用アームは、前記プロジェクタを前記スクリーン部に対して接離方向に移動可能に吊下支持する請求項１又は２に記載のプロジェクタ一体型電子黒板。
【請求項４】
前記吊下用アームは、前記スクリーン部の上部に前記スクリーン部の左右方向に移動可能に設けられた旋回軸部材に取り付けられている請求項１〜３のいずれかに記載のプロジェクタ一体型電子黒板。
【請求項５】
前記スクリーン部の高さ位置を変えることができる昇降手段を備えた請求項１〜４のいずれかに記載のプロジェクタ一体型電子黒板。
【発明の詳細な説明】
【技術分野】
【０００１】
本発明は、プロジェクタを一体に設置した電子黒板に関するものである。
【背景技術】
【０００２】
従来、画像をスクリーンに投影するプロジェクタと板面に書いた文字や図形を電子的に・光学的に読み取ることができる投影画面とを一体に備え、スクリーン部の正面側から投影してスクリーン部に画像を表示させる反射型のプロジェクタ一体型電子黒板が提案されている（特許文献１参照）。
【先行技術文献】
【特許文献】
【０００３】
【特許文献１】特開２００９−１７２７８３
【発明の概要】
【発明が解決しようとする課題】
【０００４】
しかしながら、この反射型のプロジェクタ一体型電子黒板は、投影画面の上方に取り付けられた投影画面の離隔方向に水平に延びる取付枠にプロジェクタを支持することで投影画面の正面側から投影画面に向って投影するものであるため、投影画面の前に説明者が立って説明するような使用環境では、説明者の影が投影画面上にできてしまい視聴者に不快感を与えてしまうことがあった。
【０００５】
また、投影画面の背面側から投影してスクリーンに画像を表示させる透過型のプロジェクタも知られているが、この透過型のタイプは、一般にプロジェクタ等の基材を後方に配置するため、使用の際には後方に基材設置スペースを確保できる環境でなければ使用することができなかった。
【０００６】
本発明は、上述した事情に鑑みてなされたものであり、その目的は、様々な使用環境に対応することができるプロジェクタ一体型電子黒板を提供することにある。
【課題を解決するための手段】
【０００７】
［１］画像を投影するプロジェクタと、前記プロジェクタから投影される画像を透過して視認させる透過型スクリーンとプロジェクタから投影される画像を反射して視認させる反射型スクリーンとを取替可能なスクリーン部と、前記スクリーン部の上部に旋回可能に取り付けられ、前記プロジェクタが前記スクリーン部の前面側と背面側とを移動するように前記プロジェクタを吊下支持する吊下用アームと、を備えたことを特徴とするプロジェクタ一体型電子黒板。
【０００８】
［２］前記吊下用アームは、３６０度旋回可能に取り付けられた前項１に記載のプロジェクタ一体型電子黒板。
【０００９】
［３］前記吊下用アームは、前記プロジェクタを前記スクリーン部に対して接離方向に移動可能に吊下支持する前項１又は２に記載のプロジェクタ一体型電子黒板。
【００１０】
［４］前記吊下用アームは、前記スクリーン部の上部に前記スクリーン部の左右方向に移動可能に設けられた旋回軸部材に取り付けられている前項１〜３のいずれかに記載のプロジェクタ一体型電子黒板。
【００１１】
［５］前記スクリーン部の高さ位置を変えることができる昇降手段を備えた前項１〜４のいずれかに記載のプロジェクタ一体型電子黒板。
【発明の効果】
【００１２】
前項［１］の発明によると、画像を投影するプロジェクタと、前記プロジェクタから投影される画像を透過して視認させる透過型スクリーンとプロジェクタから投影される画像を反射して視認させる反射型スクリーンとを取替可能なスクリーン部と、前記スクリーン部の上部に旋回可能に取り付けられ、前記プロジェクタが前記スクリーン部の前面側と背面側とを移動するように前記プロジェクタを吊下支持する吊下用アームと、を備えたため、反射型スクリーンと透過型スクリーンとを取り替え、プロジェクタの位置をスクリーン部の正面側と背面側とを変更することにより、スクリーン部の正面側から投影する反射型とスクリーン部の背面側から投影する透過型とを切り替えることができ、ひいては、様々な使用環境に対応することができる。また、反射型と透過型とを切り替えても、スクリーン部の正面側（前面側）を常に視聴者に視認される側となるため、スクリーン部の正面側のみを視認にふさわしい装飾面とすることができる。また、吊下用アームを、スクリーン部の幅と平行状態になるように移動させることで、電子黒板を移動や収納する際に邪魔になることがない。
【００１３】
前項［２］の発明によると、前記吊下用アームを、３６０度旋回可能に取り付けたため、スクリーン部上方の吊下用アームの右側あるいは左側に障害物があっても障害物のない側に旋回させてプロジェクタの位置を変更できる。
【００１４】
前項［３］の発明によると、前記吊下用アームを、前記プロジェクタを前記スクリーン部に対して接離方向に移動可能に吊下支持したため、プロジェクタとスクリーン部との距離を調整することができ、これによりプロジェクタから投影される画像のピントを調整できる。
【００１５】
前項［４］の発明によると、前記吊下用アームを、前記スクリーン部の上部に前記スクリーン部の左右方向に移動可能に設けられた旋回軸部材に取り付けたため、反射型として使用する場合には、プロジェクタをスクリーン部の中央から左右いずれかに移動させることで、プロジェクタが視聴者の視界を遮ることなく投影することができ、透過型として使用する場合には、プロジェクタをスクリーン部の中央から左右いずれかに移動させることで、障害物があっても障害物のない側にプロジェクタを位置させて投影することができる。
【００１６】
前項［５］の発明によると、前記スクリーン部の高さ位置を変えることができる昇降手段を備えたため、使用場所に応じてスクリーン部を好ましい高さにできる。
【図面の簡単な説明】
【００１７】
【図１】図１は、本発明の一実施形態にかかる電子黒板を示した正面図である。
【図２】図２は、本発明の一実施形態にかかる電子黒板を示した側面図である。
【図３】図３は、本発明の一実施形態にかかる電子黒板の使用状態を示すものであり、（Ａ）は反射型として使用することを説明する側面図、（Ｂ）は透過型として使用することを説明する側面図について示した図である。
【発明を実施するための形態】
【００１８】
次に、本発明の一実施形態について、図１〜図３を参照して説明する。
【００１９】
図１は、本発明の一実施形態にかかる電子黒板を示した正面図である。図２は、本発明の一実施形態にかかる電子黒板を示した側面図である。図３は、本発明の一実施形態にかかる電子黒板の使用状態を示すものであり、（Ａ）は反射型として使用することを説明する側面図、（Ｂ）は透過型として使用することを説明する側面図について示した図である。
【００２０】
図１，図２に示すように、プロジェクタ一体型電子黒板１は、電子黒板本体１０と、その上方の旋回軸部材１２を介して取り付けられている吊下用アーム３０から構成されている。
【００２１】
電子黒板本体１０は、左側および右側を固定するサイド支柱１３，１３と上方および下方を固定する連結フレーム１４，１４とに囲まれたスクリーン部１１を備えている。スクリーン部１１には、反射型スクリーンまたは透過型スクリーンが固定され、反射型スクリーンと透過型スクリーンとをプロジェクタ一体型電子黒板１の設置場所等に応じて取り替えることができる。
【００２２】
反射型スクリーンは、プロジェクタ４０をスクリーン部１１の正面側に位置させ、プロジェクタ４０から投影される画像を反射して視認させるものを採用し、透過型スクリーンは、プロジェクタ４０をスクリーン部１１の背面側に位置させ、プロジェクタ４０から投影される画像を透過して視認させるものを採用している。
【００２３】
また、スクリーン部１１（反射型スクリーン及び透過型スクリーン）は、スクリーン部１１に書いた文字や図形を電子的・光学的に読み取って紙に印刷できるもの、又は、電子的に記録することができるものを採用している。
【００２４】
電子黒板本体１０の上方に固定された連結フレーム１４には、連結フレーム１４の左右方向に沿ってスライドレール部１４ａが形成されている。このスライドレール部１４ａには、吊下用アーム３０を電子黒板本体１０のスクリーン部１１の左右方向に移動可能にする旋回軸部材１２が設置されている。この旋回軸部材１２の上部には、吊下用アーム３０が旋回軸部材１２を中心に３６０度旋回可能に取り付けられている。
【００２５】
吊下用アーム３０の旋回軸部材１２が設置されている先端側とは逆の先端側には、吊下用アーム３０の長手方向に沿って電子黒板本体１０に対して接離方向に移動可能な取付部材３１が取り付けられている。この取付部材３１の下部には、画像をスクリーン部１１（反射型スクリーンまたは透過型スクリーン）上に投影するプロジェクタ４０が吊下支持されている。また、この取付部材３１の中央部付近には、任意の角度に屈曲することができる角度調整部３１ａが形成されている。
【００２６】
電子黒板本体１０の各サイド支柱１３，１３の下方先端には、下方に延びる棒状のサイドガイド支柱１６，１６がそれぞれ形成されている。この各サイドガイド支柱１６，１６は、これに対応するサイドベースフレーム２１，２１に昇降可能に挿入されている。
【００２７】
電子黒板本体１０の下方の連結フレーム１４の左右方向中央部には、下方に延びる棒状の昇降ガイド支柱１５が形成されている。この昇降ガイド支柱１５は、これに対応する昇降フレーム２２に昇降可能に挿入されている。
【００２８】
昇降ガイド支柱１５および昇降フレーム２２には、電子黒板本体１０の高さを調節する昇降手段が備えられている。この昇降手段は、例えばガス圧昇降方式のものを採用している。昇降ガイド支柱１５の下方（連結杆２６の左右方向中央部の下方）には、昇降手段による昇降を操作する昇降操作ペダル２７が設置されている。
【００２９】
サイドベースフレーム２１，２１の下方には、電子黒板本体１０の前後方向に延びる脚部２３，２３が、電子黒板本体１０の左右２箇所に取り付けられている。この各脚部２３，２３の前方と後方の先端には、電子黒板本体１０を移動させるキャスタ２４，２４がそれぞれ取り付けられている。
【００３０】
左右のサイドベースフレーム２１，２１と昇降フレーム２２の間には、横つなぎ２５，２５がそれぞれ架け渡されている。また、各脚部２３，２３間（一方の脚部２３の側面と対向する他方の脚部２３の側面の間）には、連結杆２６が架け渡されている。この連結杆２６の中央部の上面と昇降フレーム２２の先端とは連結固定されている。
【００３１】
次に、本実施形態のプロジェクタ一体型電子黒板１の反射型から透過型および反射型から透過型に変更する方法について説明する。
【００３２】
図３に示すように、（Ａ）は、反射型プロジェクタ一体型電子黒板１として使用している状態を示すものである。この反射型プロジェクタ一体型電子黒板１を透過型プロジェクタ一体型電子黒板１として使用する方法は以下の通りである。
【００３３】
まず、スクリーン部１１を交換するため、スクリーン部１１に固定している反射型スクリーンを固定するサイド支柱１３，１３および連結フレーム１４，１４を解体し、反射型スクリーンを取り外す。この取り外した反射型スクリーンに替えて透過型スクリーンをスクリーン部１１の所定位置に配置する。そして、反射型スクリーンをサイド支柱１３，１３および連結フレーム１４，１４で固定すると、反射型スクリーンから透過型スクリーンに交換できる。
【００３４】
次に、プロジェクタ４０をスクリーン部１１の正面側から背面側に移動するため、スクリーン部１１の正面側に位置するプロジェクタ４０を吊下支持する吊下用アーム３０を、旋回軸部材１２を中心に、左右のいずれかに１８０度旋回すると、吊下用アーム３０に吊下支持されたプロジェクタ４０をスクリーン部１１の背面側に移動することができる。
【００３５】
最後に、プロジェクタ４０から投影される画像のピント調整するため、必要に応じて取付部材３１とスクリーン部１１との距離を調整する。また、画像をスクリーン部１１の所定位置に投影するため、必要に応じてプロジェクタ４０の投影角度を調整する。また、使用場所に応じてスクリーン部１１を好ましい高さにするため、必要に応じて電子黒板本体１０の高さを調整する。
【００３６】
図３に示すように、（Ｂ）は、反射型プロジェクタ一体型電子黒板１をとして使用している状態を示すものである。この透過型プロジェクタ一体型電子黒板１を反射型プロジェクタ一体型電子黒板１として使用する方法は以下の通りである。
【００３７】
まず、スクリーン部１１を交換するため、スクリーン部１１に固定している透過型スクリーンを固定するサイド支柱１３，１３および連結フレーム１４，１４を解体し、透過型スクリーンを取り外す。この取り外した透過型スクリーンに替えて反射型スクリーンをスクリーン部１１の所定位置に配置する。そして、反射型スクリーンをサイド支柱１３，１３および連結フレーム１４，１４で固定すると、スクリーン部１１を透過型から反射型に交換できる。
【００３８】
次に、プロジェクタ４０をスクリーン部１１の背面側から正面側に移動するため、スクリーン部１１の背面側に位置するプロジェクタ４０を吊下支持する吊下用アーム３０を、旋回軸部材１２を中心に、左右のいずれかに１８０度旋回すると、吊下用アーム３０に支持されたプロジェクタ４０をスクリーン部１１の正面側に移動することができる。
【００３９】
最後に、反射型から透過型へ切り替える場合と同様に、必要に応じて取付部材３１とスクリーン部１１との距離を調整、プロジェクタ４０の投影角度を調整、電子黒板本体１０の高さを調整する。
【００４０】
なお、プロジェクタ一体型電子黒板１を収納または移動する際は次のようにする。すなわち、スクリーン部１１の正面側又は背面側に位置するプロジェクタ４０を吊下支持する吊下用アーム３０を、旋回軸部材１２を中心に、左右のいずれかに９０度旋回して、吊下用アーム３０をスクリーン部１１の幅と平行状態になるように移動させることで、プロジェクタ一体型電子黒板１を移動や収納する際に邪魔になることがない。
【００４１】
本実施形態のプロジェクタ一体型電子黒板１は、次の利点がある。
【００４２】
すなわち、電子黒板本体１０に、左側および右側を固定するサイド支柱１３，１３と上方および下方を固定する連結フレーム１４，１４とに囲まれたスクリーン部１１を備えたため、スクリーンを取り付ける際は、左右のサイド支柱１３，１３と上下の連結フレーム１４，１４とに囲まれて反射型および透過型のスクリーンを固定しやすく、スクリーンを取り替える際は、サイド支柱１３，１３および連結フレーム１４，１４を解体しやすく、ひいては、反射型スクリーンおよび透過型スクリーンとを容易に取り替えることができる。
【００４３】
さらに、電子黒板本体１０の上方に固定された連結フレーム１４には、連結フレーム１４の左右方向に沿ってスライドレール部１４ａを形成し、このスライドレール部１４ａには、吊下用アーム３０を電子黒板本体１０のスクリーン部１１の左右方向に移動可能にする旋回軸部材１２を設置したため、旋回軸部材１２がスライドレール部１４ａに沿って滑走しやすくでき、ひいてはプロジェクタ４０をスクリーン部１１の左右方向に容易に移動させることができる。
【００４４】
さらに、この旋回軸部材１２の上部には、吊下用アーム３０を、旋回軸部材１２を中心に３６０度旋回可能に取り付けたため、スクリーン部１１上方の吊下用アーム３０の右側あるいは左側に障害物があっても障害物のない側に旋回させてプロジェクタ４０の位置を変更できる。
【００４５】
さらに、吊下用アーム３０の旋回軸部材１２が設置されている先端側とは逆の先端側には、吊下用アーム３０の長手方向に沿って電子黒板本体１０に対して接離方向に移動可能な取付部材３１を取り付けたため、プロジェクタ４０とスクリーン部１１との距離を調整することができ、これにより、プロジェクタ４０から投影される画像のピントを調整できる。
【００４６】
さらに、昇降手段にガス圧昇降方式のものを採用したため、使用場所に応じてスクリーン部１１を好ましい高さにできる。
【００４７】
さらに、この各脚部２３，２３の前方と後方の先端に、電子黒板本体１０を移動させるキャスタ２４，２４をそれぞれ取り付けたため、プロジェクタ一体型電子黒板１を容易に移動させることができる。
【００４８】
以上、本発明を一実施形態に基づいて説明してきたが、本発明は上記実施形態に限定されるものではなく、その発明の範囲で適宜変更可能であり、例えば以下のように構成しても良い。
【００４９】
（１）上記実施形態では、電子黒板本体１０の上方に固定された連結フレーム１４には、連結フレーム１４の左右方向に沿ってスライドレール部１４ａを形成したが、本発明はこれに限定されるものではなく、必ずしもこのスライドレール部１４ａを形成する必要はなく、他の手段を採用しても良い。
【００５０】
（２）上記実施形態では、取付部材３１の中央部付近に、任意の角度に屈曲することができる角度調整部３１ａを取り付けたが、本発明はこれに限定されるものではなく、必ずしも角度調整部３１ａを備える必要はなく、角度調整部３１ａを備えない取付部材３１を採用しても良い。
【００５１】
（３）上記実施形態では、昇降手段にガス圧昇降方式のものを採用したが、本発明はこれに限定されるものではなく、他の昇降手段を採用してもよい。
【００５２】
（４）上記実施形態では、昇降ガイド支柱１５および昇降フレーム２２には、電子黒板本体１０の高さを調節する昇降手段を備えたが、本発明はこれに限定されるものではなく、昇降ガイド支柱１５以外にも昇降手段を備えても良く、左右のサイドガイド支柱１６，１６および対応するサイドベースフレーム２１，２１のみに昇降手段を備えても良い。
【００５３】
（５）上記実施形態では、サイドベースフレーム２１，２１の下方には、電子黒板本体１０の前後方向に延びる脚部２３，２３を、電子黒板本体１０の左右２箇所に取り付け、この各脚部２３，２３の前方と後方の先端には、電子黒板本体１０を移動させるキャスタ２４，２４をそれぞれ取り付けたが、本発明はこれに限定されるものではなく、脚部２３，２３の本数や配置、キャスタ２４，２４の個数や配置はこれに限定されるものではない。
【００５４】
（６）上記実施形態では、左右のサイドベースフレーム２１，２１と昇降フレーム２２の間には、横つなぎ２５，２５をそれぞれ架け渡し、各脚部２３，２３間（一方の脚部２３の側面と対向する他方の脚部２３の側面の間）には、連結杆２６を架け渡し、この連結杆２６の中央部の上面と昇降フレーム２２の先端とを連結固定したが、本発明はこれに限定されるものではなく、必ずしも横つなぎ２５，２５及び／又は連結杆２６を架け渡す必要ない。また、横つなぎ２５，２５及び／又は連結杆２６を架け渡した場合であっても、その本数や配置は限定されるものではない。
【符号の説明】
【００５５】
１    プロジェクタ一体型電子黒板
１１  スクリーン部
１２  旋回軸部材
３０  吊下用アーム
４０  プロジェクタ  
【図１】
2011136422.tif 000003
【図２】
2011136422.tif 000004
【図３】
2011136422.tif 000005